(57)【要約】【課題】既設の神棚に取り付けるだけで御飾り棚部を安定して昇降操作でき、構造が簡単で操作性に優れた神棚の棚昇降装置の提供を目的とする。【解決手段】神棚の棚本体部に取り付ける棚昇降装置であって、神棚の棚本体部に取り付ける固定取付部と、御飾り棚部と、御飾り棚部に連結してある昇降取付部と、上端部を固定取付部に連結し下端部を昇降取付部に連結した上下方向に伸縮するパンタグラフ機構を有していることを特徴とする。【選択図】  図１
0003139879.tif 000002
【実用新案登録請求の範囲】
【請求項１】
神棚の棚本体部に取り付ける棚昇降装置であって、
神棚の棚本体部に取り付ける固定取付部と、
御飾り棚部と、
御飾り棚部に連結してある昇降取付部と、
上端部を固定取付部に連結し下端部を昇降取付部に連結した上下方向に伸縮するパンタグラフ機構を有していることを特徴とする神棚の棚昇降装置。
【請求項２】
パンタグラフ機構は収縮する方向に弾性付勢してあることを特徴とする請求項１記載の神棚の棚昇降装置。
【請求項３】
昇降取付部には取っ手が設けてあることを特徴とする請求項１又は２記載の神棚の棚昇降装置。
【請求項４】
固定取付部と昇降取付部のいずれか一方に係止部を設け他方に被係止部を設けてあり、
パンタグラフ機構を収縮させて御飾り棚部を棚本体部高さに揃えた位置で係止部と被係止部とが係止するものであることを特徴とする請求項１〜３のいずれかに記載の神棚の棚昇降装置。
【考案の詳細な説明】
【技術分野】
【０００１】
本考案は、神棚への御飾りのお供え時や榊の水の交換時などに、神棚の棚板の一部を下降させることができる棚昇降装置に係る。
【背景技術】
【０００２】
神棚は、部屋の高い位置で、南向きか東向きかに祀るのが吉とされている。
従来は、部屋の高い位置に設置した神棚用棚板に神殿（箱宮）を奉安し、御飾りをお供えしていた。
しかし、神棚に御飾りをお供えしたり、榊の水を交換したりする際には、位置が高く踏み台等を用いないと手が届かないと言う問題があった。
その都度踏み台を用いるのは手間が掛かり不便であり、また、足下が不安定な踏み台に乗って作業するのは危険でもあった。
実開昭６３−１６７９７１号公報には、上下スライドできるお供え物用載置板を鳥居本体に取り付ける技術を開示するが、鳥居本体の左右の支柱内で吊り下げ杆を上下スライドさせるものであるため構造が複雑であり、左右の吊り下げ杆のスライド長さに差が生じると載置板が傾き、載置板に載せたお供え物が落ちる恐れがあり、吊り下げ杆も破損しやすい。
【０００３】
【特許文献１】実開昭６３−１６７９７１号公報
【考案の開示】
【考案が解決しようとする課題】
【０００４】
本考案は上記技術的課題に鑑みて、既設の神棚に取り付けるだけで御飾り棚部を安定して昇降操作でき、構造が簡単で操作性に優れた神棚の棚昇降装置の提供を目的とする。
【課題を解決するための手段】
【０００５】
本考案に係る神棚の棚昇降装置は、神棚の棚本体部に取り付ける棚昇降装置であって、神棚の棚本体部に取り付ける固定取付部と、御飾り棚部と、御飾り棚部に連結してある昇降取付部と、上端部を固定取付部に連結し下端部を昇降取付部に連結した上下方向に伸縮するパンタグラフ機構を有していることを特徴とする。
【０００６】
ここでパンタグラフ機構とは、複数のロッド同士を左右対称の菱形状の枠を形成するように軸連結したもので、菱形状を上下に伸長させることで上下方向に長くなり、菱形状を左右に伸長させることでロッドが重なるように上下に収縮するものをいう。
パンタグラフ機構の上端部と、固定取付部の連結部、及び、下端部と昇降取付部との連結部は、パンタグラフ機構の上下の伸縮に対応できるように、左右のロッドの少なくとも一方が左右方向にスライド自在な連結軸になっている。
パンタグラフ機構を介して、御飾り棚部を棚本体部に連結することで、御飾り棚部をリンク機構により水平に保ったまま安定して上下に昇降操作できる。
【０００７】
請求項２記載に係る神棚の棚昇降装置においては、更に、パンタグラフ機構は収縮する方向に弾性付勢してあることを特徴とする。
ここで弾性付勢とはコイルバネ等の弾性体であってよく、御飾り棚部の急激な下降を防止する。
【０００８】
請求項３記載に係る神棚の棚昇降装置においては、更に、昇降取付部には取っ手が設けてあることを特徴とする。
昇降取付部に操作用の取っ手を設けることで、パンタグラフ機構の伸縮操作がしやすくなる。
【０００９】
請求項４記載に係る神棚の棚昇降装置においては、更に、固定取付部と昇降取付部のいずれか一方に係止部を設け他方に被係止部を設けてあり、パンタグラフ機構を収縮させて御飾り棚部を棚本体部高さに揃えた位置で係止部と被係止部とが係止するものであることを特徴とする。
これにより、御飾りや榊等の重さで不本意に御飾り棚部が下降するのを防止できる。
【考案の効果】
【００１０】
本考案に係る神棚の棚昇降装置は既設の神棚に取り付け、御飾り棚部をパンタグラフ機構で昇降するので、御飾り棚部の水平状態を保持したまま安定して昇降できる。
また、御飾り棚部を棚本体部の高さに揃えた位置に、パンタグラフ機構を収縮できるのでコンパクトであり見映えがよい。
【００１１】
パンタグラフ機構は収縮する方向に弾性体で付勢することで、更に昇降操作が安定する。
【００１２】
昇降取付部に操作用の取っ手を設けることで、御飾り棚部の昇降操作が行いやすくなる。
【００１３】
御飾り棚部を棚本体部の高さに揃えた位置において、御飾り棚部が下降しないように係止部と被係止部とを互いに係止する構造にすると、御飾り等の重みで不本意に御飾り棚部が下降するのを効果的に防止する。
【考案を実施するための最良の形態】
【００１４】
図１は本考案に係る神棚の棚昇降装置の斜視説明図で、図１（ａ）は御飾り棚部３０が上昇位置にある状態を示し、図１（ｂ）は御飾り棚部３０が下降位置にある状態を示す。
また、図２は棚昇降装置１０を神棚１に取り付けた状態を正面視した説明図で、図３は棚昇降装置１０を神棚１に取り付けた状態を斜視した説明図で、図２（ａ）、図３（ａ）は御飾り棚部３０が上昇位置にある状態を示し、図２（ｂ）、図３（ｂ）は御飾り棚部３０が下降位置にある状態を示す。
ここで、上下方向とは神棚正面に向かった上下方向を意味し、左右方向は神棚正面に向かった左右方向を意味し、前後方向は神棚から見た表側を前方向として神棚裏側を後ろ方向とする。
棚昇降装置１０は、図２、図３に示すように、神棚１において神殿２を載置してある棚本体部４の前側下面に固定取付部２０を取り付けることで、神棚１に取り付ける。
この取付けは、上昇位置にある御飾り棚部３０が棚本体部４と高さが揃って、棚飾り棚部３０の上面が棚本体部４の上面と連続するように行う。
御飾り棚部３０には、主に榊、御供物等の御飾りを載置し、図２、図３では説明のために榊立て３のみを描いてある。
図１に示すように、棚昇降装置１０は、上下方向に伸縮するパンタグラフ機構部５０の上端部５０ａと固定取付部２０を連結して、パンタグラフ機構部５０の下端部５０ｂを昇降取付部４０に連結して、昇降取付部４０と御飾り棚部３０とを連結してある。
昇降取付部４０には下向きの取っ手４８が設けてある。
棚昇降装置１０は、図２（ａ）、図３（ａ）に示す御飾り棚部３０が上昇位置にある状態から取っ手４８を持って降ろすことで御飾り棚部３０を下降させて、図２（ｂ）、図３（ｂ）に示すように御飾り棚部３０を下降位置にした状態にして、御飾り棚部３０上の榊立て３の水の交換や、御供物の上げ下げなどを行う。
そして、御飾り棚部３０が下降位置にある状態から取っ手４８を持ち上げることで御飾り棚部３０を棚本体部４と高さを揃えた位置に戻す。
図１、図２に示すように、固定取付部２０の後面にはクリップ状の弾性係止部２８を設けてあり、昇降取付部４０の後面には弾性係止部２８に対応した突起状の被係止部４９を設けてあり、御飾り棚部３０を棚本体部４の高さに揃う位置まで上昇させると弾性係止部２８と被係止部４９とが弾性係止して、御飾り棚部３０の高さを固定する。
上昇位置からの御飾り棚部３０の下降は、弾性係止部２８と被係止部４９との弾性係止力より大きい引き下げ力により係止状態を解除して行う。
パンタグラフ機構部５０は、複数のロッド５１同士を中央で交差して左右対称の菱形状の枠を形成するように軸ピン５２で軸連結してある。
パンタグラフ機構部５０はロッド５１を上下に立てるようにして枠形状を変形することで、リンク機構により左右対称形状のまま左右に収縮して上下に伸長する。
そして、ロッド５１を上下に寝かせて重ねるように変形することで左右対称形状のまま左右に伸長して上下に収縮する。
【００１５】
固定取付部２０は金属板材を下向き開口の断面略コ字形に曲げ加工してあり、棚本体部４への取付け面部２１には棚本体部４にビス止めするためのビス孔２１ａを設けてある。
そして、前後方向に対向する側面部２２には固定軸孔２４と左右方向の長孔２５とをそれぞれ連通して設けて、固定軸孔２４には固定軸２６が軸支してあり長孔２５にはスライド軸２７が左右スライド可能に軸支してある。
パンタグラフ機構部５０の上端部５０ａの左右のロッド５１は、固定取付部２０の断面略コ字形の内側において固定軸に一方のロッド５１の上端の軸孔５３Ｌを軸連結して、他方のロッド５１の上端の軸孔５３Ｒはスライド軸２７に軸連結してある。
これにより、スライド軸２７を左右にスライドさせることで、パンタグラフ機構部５０の左右方向の伸縮動作に対応できるようにしてある。
また、上下に収縮した状態におけるパンタグラフ機構部５０の上側が、固定取付部２０の断面略コ字形状で囲まれるようにしてある。
昇降取付部４０は金属板材を上向き開口の断面略コ字形に曲げ加工してあり、御飾り棚部３０にビス止めするためのビス孔４１ａを有するブラケット４１を下面部４２に連結してある。
そして、前後方向に対向する側面部４３には固定軸孔４４と左右方向の長孔４５とをそれぞれ連通して設けて、固定軸孔４４には固定軸４５が軸支してあり長孔４５にはスライド軸４７が左右スライド可能に軸支してある。
パンタグラフ機構部５０の下端部５０ｂの左右のロッド５１は、昇降取付部４０の断面略コ字形の内側において固定軸４６に一方のロッド５１の軸孔５４Ｌを軸連結して他方のロッド５１の軸孔５４Ｒはスライド軸４７に軸連結して、スライド軸４７を左右にスライドさせることで、パンタグラフ機構部５０の左右方向の伸縮動作に対応できるようにしてある。
そして、上下に収縮した状態におけるパンタグラフ機構部５０の下側が、昇降取付部４０の断面略コ字形状で囲まれるようにしてある。
【００１６】
パンタグラフ機構部５０は、コイルバネよりなる弾性体５５で上下に収縮する方向にバネ付勢してある。
この弾性体５５は一端を、固定取付部２０の固定軸２６側に設けてある取付片２３に連結して、弾性体５５の中間部は上方からスライド軸２７に引っ掛けて下向きに折曲げ、他端をパンタグラフ機構部５０の上下方向中央付近の一つのロッド５１の端部５１ａに連結してある。
弾性体５５はロッドの端部５１ａを固定取付部２０の側に引くことでロッド５１を固定取付部２０の側に倒すように弾性付勢してある。
パンタグラフ機構部５０は、ロッド５１同士をリンク機構で連結してロッドが弾性体５５で固定取付部２０の側に倒れるように弾性付勢してあることで、左右対称形状のまま上下に収縮するように弾性付勢されている。
これにより、パンタグラフ機構部５０の伸長動作を緩和して御飾り棚部３０の急激な下降を防止し、棚飾り棚部３０や載置物などを支える支持力を軽減してある。
【００１７】
図４はカバー部５６を設けた棚昇降装置１０を神棚１に取り付けた状態を正面視した説明図を示し、図４（ａ）は御飾り棚部３０を上昇させた状態を示し、図４（ｂ）は御飾り棚部３０を下降させた状態を示す。
カバー部５６は、御飾り棚部３０の下面にスカート状に取り付けてあり、御飾り棚部３０を上昇させた状態でパンタグラフ機構部５０と固定取付部２０と昇降取付部４０の周方向を囲む。
本考案に係る棚昇降装置はすでに据え付けてある神棚の棚に容易に取り付けることができるものであり、各家庭内や企業内の神棚に適用できる。
【図面の簡単な説明】
【００１８】
【図１】本考案に係る神棚の棚昇降装置の斜視説明図を示す。
【図２】棚昇降装置を神棚に取り付けた状態を正面視した説明図を示す。
【図３】棚昇降装置を神棚に取り付けた状態を斜視した説明図を示す。
【図４】カバー部を設けた棚昇降装置を神棚に取り付けた状態を正面視した説明図を示す。
【符号の説明】
【００１９】
１      神棚
２      神殿
３      榊立て
４      棚本体部
１０    棚昇降装置
２０    固定取付部
２１    取付け面部
２１ａ  ビス孔
２２    側面部
２３    取付片
２４    固定軸孔
２５    長孔
２６    固定軸
２７    スライド軸
２８    弾性係止部
３０    御飾り棚部
４０    昇降取付部
４１    ブラケット
４１ａ  ビス孔
４２    下面部
４３    側面部
４４    固定軸孔
４５    長孔
４６    固定軸
４７    スライド軸
４８    取っ手
４９    被係止部
５０    パンタグラフ機構部
５０ａ  上端部
５０ｂ  下端部
５１    ロッド
５１ａ  端部
５２    軸ピン
５３Ｒ、５３Ｌ、５４Ｒ、５４Ｌ  軸孔
５５    弾性体
５６    カバー部
【図１】
0003139879.tif 000003
【図２】
0003139879.tif 000004
【図３】
0003139879.tif 000005
【図４】
0003139879.tif 000006